(57)【要約】【課題】施工性が良いサッシを提供する。【解決手段】本発明にかかるサッシ１は、枠材９と、枠材９を躯体２に取付けるアンカー１５と、下地材２１と、縁材２３とを備え、下地材２１は、枠材９又はアンカー１５にねじ２２で止めてあり、見込み方向突出部２１ｃと、その先端に設けた被掛部２１ｅとを有し、縁材２３は、本体部２３ａと、本体部２３ａに設けた被掛部２１ｅの挿入溝部２３ｂと、挿入溝部２３ｂに設けた掛部２３ｃと、本体部２３ａから室内側に延出する見込み方向延出部２３ｅとを有し、挿入溝部２３ｂ内に被掛部２１ｅが掛部２３ｃを越えて挿入して挿入溝部２３ｂ内で見込み方向に当接してあり、縁材２３の見込み方向延出部２３ｅを下地材２１に見込み方向から止めるねじ３６で取付けてある。【選択図】図１
2019015092.tif 000002
【特許請求の範囲】
【請求項１】
枠材と、枠材を躯体に取付けるアンカーと、下地材と、縁材とを備え、下地材は、枠材又はアンカーにねじで止めてあり、見込み方向突出部と、その先端に設けた被掛部とを有し、縁材は、本体部と、本体部に設けた被掛部の挿入溝部と、挿入溝部に設けた掛部と、本体部から室内側に延出する見込み方向延出部とを有し、挿入溝部内に被掛部が掛部を越えて挿入して挿入溝部内で見込み方向に当接してあり、縁材の見込み方向延出部を下地材に見込み方向から止めるねじで取付けてあることを特徴とするサッシ。
【発明の詳細な説明】
【技術分野】
【０００１】
本発明は、サッシに関する。
【背景技術】
【０００２】
非特許文献１には、枠材に下地材を取付け、下地材に雨切や見切等の縁材を取付けたサッシが開示されている。
【先行技術文献】
【非特許文献】
【０００３】
【非特許文献１】第５４頁「三協アルミ  ＭＴＧ−７０  ｓｅｒｉｅｓ  ＤＥＴＡＩＬ  図面集」カタログＮｏ．ＳＴＢ０３６６Ａ  三協立山株式会社  三協アルミ社  ２０１２年  ５月発行
【発明の概要】
【発明が解決しようとする課題】
【０００４】
このようなサッシでは、縁材を取付ける際に、縁材を支えながら取付ける必要があり、施工に手間がかかる為、施工性の改善が望まれていた。
【０００５】
そこで、本発明は、施工性が良いサッシの提供を目的とする。
【課題を解決するための手段】
【０００６】
請求項１に記載の発明は、枠材と、枠材を躯体に取付けるアンカーと、下地材と、縁材とを備え、下地材は、枠材又はアンカーにねじで止めてあり、見込み方向突出部と、その先端に設けた被掛部とを有し、縁材は、本体部と、本体部に設けた被掛部の挿入溝部と、挿入溝部に設けた掛部と、本体部から室内側に延出する見込み方向延出部とを有し、挿入溝部内に被掛部が掛部を越えて挿入して挿入溝部内で見込み方向に当接してあり、縁材の見込み方向延出部を下地材に見込み方向から止めるねじで取付けてあることを特徴とするサッシである。
【発明の効果】
【０００７】
請求項１に記載の発明によれば、下地材に縁材を取付けるときに、縁材の挿入溝内に下地材の被掛部を、掛部を越えて挿入するので、取付け中に縁材が下地材から外れようとすると縁材の被掛部が挿入溝部の掛部に掛かり、外れ難いから、施工性が良い。
縁材の取付け状態では、縁材が見込み方向で下地材に当接して且つ見込み方向のねじで押えつけているため、取付け強度が高い。
【図面の簡単な説明】
【０００８】
【図１】本発明の実施の形態にかかるサッシにおいて、上枠材のアンカーに雨切（縁材）を取付ける工程を示す側面図であり、（ａ）は上枠材のアンカーに下地材をねじ止めした後、下地材に雨切を係合する工程を示し、（ｂ）は下地材に雨切をねじ止めする工程を示す図である。
【図２】本発明の実施の形態にかかるサッシにおいて、縦枠材のアンカーに見切（縁材）を取付ける工程を示す横断面図であり、（ａ）は縦枠材のアンカーに下地材をねじ止めした後、下地材に見切を係合する工程を示し、（ｂ）は下地材に縁材をねじ止めする工程を示す図である。
【図３】本発明の実施の形態にかかるサッシであって、引き違い障子を片側に寄せた状態の縦断面図である。
【図４】本発明の実施の形態にかかるサッシであって、引き違い障子を閉じた状態を示す横断面図である。
【図５】本発明の実施の形態にかかるサッシであって、引き違い障子を閉じた状態を室外側から見た正面図である。
【図６】本発明の他の実施の形態にかかるサッシであって、（ａ）は上枠材に雨切（縁材）を取付けた状態を示す側面図であり、（ｂ）は縦枠材に見切（縁材）を取付けた状態を示す横断面図である。
【発明を実施するための形態】
【０００９】
以下に、図１〜図５を参照して本発明の実施の形態を説明する。  
図３〜図５に示すように、本実施の形態にかかるサッシ１は、枠３と、引き違い障子５、５とを備えた引き違いサッシである。
枠３は、上枠材９と、下枠材１１と、左右の縦枠材１３、１３とで枠組みしてあり、上枠材９には上アンカー１５が上枠材９の長手方向の所定位置に、下枠材１１には下アンカー１７が下枠材１１の長手方向の所定位置に、各縦枠材１３には縦アンカー１９が縦枠材１３の長手方向の所定位置に取付けてあり、各アンカー１５、１７、１９は躯体２に固定されている。尚、各アンカー１５、１７、１９は対応する枠材の長手方向に間隔をあけて複数配置されている。
上アンカー１５には下地材２１を介して雨切（縁材）２３が取付けてあり、縦アンカー１９には下地材２１を介して見切（縁材）２５が取付けてあり、下枠材１１には水切２７が取付けてある。
このサッシ１には、縁材として雨切２３と、見切２５とが設けてあるので、第１実施の形態にかかるサッシ１の縁材を雨切２３とし、第２実施の形態にかかるサッシ１の縁材を見切２５として、以下に第１実施の形態及び第２実施の形態に分けて説明する。
【００１０】
まず、雨切（縁材）２３及びその取付け構造（第１実施の形態）について説明する。
図１（ｂ）に示すように、上アンカー１５は、上枠材９の室外側壁９ｃの上端部９ａに係止する室外側係止部１５ａと、上枠材９の室内側壁９ｄの上端部９ｂとに係止する室内側係止部１５ｂと、室外側係止部１５ａと室内側係止部１５ｂとに亘る板状の基体１５ｃと、基体１５ｃの室外側端で上方に延出した室外側壁１５ｅとを有している。基体１５ｃと室外側壁１５ｅとで側面視略Ｌ字形状を成しており、室外側壁１５ｅは上枠材９の室外側上端部９ａの上方に延出している。
【００１１】
下地材２１は、上アンカー１５の室外側壁１５ｅに室外側から重ねる重合部２１ａと、重合部２１ａの上部から室内側に延出する室内側見込み方向延出部２１ｂと、重合部２１ａの下部から室外側に突出する室外側見込み方向突出部２１ｃとが設けられている。重合部２１ａはねじ２２で上アンカー１５の室外側壁１５ｅに固定されている。
室内側見込み方向延出部２１ｂの先端には起立部２１ｄが設けてあり、室外側見込み方向突出部２１ｃの先端には被掛部２１ｅが設けてある。被掛部２１ｅの室外側端は後述する挿入溝部２３ｂの溝底２９に当接する当接面としてある。
【００１２】
雨切（縁材）２３は、本体部２３ａと、本体部２３ａの室内側面に設けた挿入溝部２３ｂと、掛部２３ｃと、本体部２３ａの上部から室内側に延出する見込み方向延出部２３ｅとを有している。
本体部２３ａには略四角形状の中空が形成してある。
挿入溝部２３ｂは、本体部２３ａの長手方向に亘って形成してある。
掛部２３ｃは、挿入溝部２３ｂの開口を狭めるように開口の上部から下方に突設してある。挿入溝部２３ｂの溝底２９は平坦面であり被掛部２１ｅの被当接面としてある。挿入溝部２３ｂ内には、下地材２１の被掛部２１ｅが掛部２３ｃを越えて挿入してあると共に挿入溝部２３ｂ内で溝底２９に見込み方向で当接している。
見込み方向延出部２３ｅは、下地材２１の室内側見込み方向延出部２１ｂに重なる重合部３３と、重合部３３の室内側端から起立する起立部３５を有している。
見込み方向延出部２３ｅの起立部３５は、下地材２１の起立部２１ｄの室外側に重ねて見込み方向から止めるねじ３７で固定してある。
【００１３】
次に、見切（縁材）２５及びその取付け構造（第２実施の形態）について説明する。
以下の説明では、サッシ１の左右に設けた見切２５及びその取付け構造は略同じであるから、図４に示す左側の見切２５及びその取付け構造のみについて説明し、右側の見切２５及びその取付け構造の説明は省略する。
図２（ｂ）及び図４に示すように、縦アンカー１９は、縦枠材１３の室外側壁１３ｃの外周端部１３ａに係止する室外側係止部１９ａと、縦枠材１３の室内側壁１３ｄの外周端部１３ｂに係止する室内側係止部１９ｂと、室外側係止部１９ａと室内側係止部１９ｂとに亘る板状の基体１９ｃと、基体１９ｃの室外側端で外周側に延出した室外側壁１９ｅと有している。基体１９ｃと室外側壁１９ｅとで側面視略Ｌ字形状を成しており、室外側壁１９ｅは縦枠材１３の室外側外周端部１３ａの外周側に突出している。
【００１４】
下地材２１及び見切（縁材）２５は、第１実施の形態の下地材２１と雨切２３と略同じ構成であるから、以下の説明では、同一の作用効果を奏する部分には同一の符号をすることによりその部分の詳細な説明を省略する。
図２（ｂ）に示すように、第２実施の形態においても第１実施の形態と同様に、縦アンカー１９の室外側壁１９ｅには下地材２１の重合部２１ａがねじ２２で止めてあり、下地材２１の室外側見込み方向突出部２１ｃの先端に設けた被掛部２１ｅは、見切２５の掛部２３ｃを越えて挿入溝部２３ｂ内に挿入した状態で溝底２９に当接してある。
見切２５（縁材）は、見込み方向延出部２３ｅの起立部３５を、下地材２１の起立部２１ｄに室外側から重ねて見込み方向から止めるねじ３６で取付けてある。
【００１５】
次に、雨切及びその取付け構造（第１実施の形態）の施工について説明するが、最初に枠３の取付けについて説明する。
図３及び図４に示すように、枠３は、上枠材９、下枠材１１及び左右の縦枠材１３、１３を工場で枠組みしてあり、上アンカー１５及び下アンカー１７及び縦アンカー１９も対応する枠材に工場で取付けて、施工現場に搬入されている。
施工現場では、各アンカー１５、１７、１９を躯体２に取付けて、枠３を躯体２の開口部に固定する。
【００１６】
次に、雨切（縁材）２３の取付けについて説明する。
図１（ａ）に示すように、下地材２１の室内側見込み方向延出部２１ｂを上アンカー１５の室外側壁１５ｅに掛けて、上アンカー１５の室外側壁１５ｅの室外側面に下地材２１の重合部２１ａを重ね室外側からねじ２２で止めて、上アンカー１５に下地材２１を取付ける。
その後、矢印Ｓで示すように、雨切２３の挿入溝部２３ｂ内に、下地材２１の室外側見込み方向突出部２１ｃの先端にある被掛部２１ｅを、掛部２３ｃを越えて挿入し、被掛部２１ｅの上に掛部２３ｃを掛ける。
次に、矢印Ｔで示すように、掛部２３ｃを中心にして雨切２３を回転し、図１（ｂ）に示すように、下地材２１の室内側見込み方向延出部２１ｂの上に雨切２３の見込み方向延出部２３ｅを重ねると共に下地材２１の起立部２１ｄの室外側に雨切２３の起立部３５を重ねる。これにより、被掛部２１ｅは挿入溝部２３ｂの溝底２９に当接した状態とする。
この状態で、見込み方向室外側からねじ３６を螺合して、下地材２１の起立部２１ｄに雨切２３の起立部３５を固定する。
一方、上枠材９の室外側面と雨切２３の本体部２３ａの室内側面との間にシール打設溝３７が形成されるので、図３に示すように、このシール打設溝３７にシール材３９を打設する。
【００１７】
次に、見切２５及びその取付け構造（第２実施の形態）の施工について説明する。
尚、見切２５を取付ける前に、下枠材１１には水切２７を取付けておくことが好ましい。
図２（ａ）に示すように、縦アンカー１９の室外側壁１９ｅに、下地材２１の重合部２１ａを室外側から重ねてねじ２２で止める。
その後、矢印Ｖで示すように、見切２５の本体部２３ａの室内側面に、下地材２１の被掛部２１ｅを室内側から当てた後に見切２５を内周側にずらして、被掛け部２１ｅを掛部２３ｃを越えて挿入溝部２３ｂに挿入する。
被掛部２１ｅを挿入するときには、図２（ｂ）に示すように、被掛部２１ｅを見切２５の挿入溝部２３ｂに掛部２３ｃを越えて挿入し、挿入溝部２３ｂの溝底２９に当接させると共に下地材２１の起立部２１ｄの室外側に見切２５の起立部３５を重ねる。
この状態で、見込み方向室外側からねじ３６を螺合して、下地材２１の起立部２１ｄに見切２５の起立部３５を固定する。
その後、図４に示すように、縦枠材１３の室外側面と見切２５の本体部２３ａの室内側面との間に形成されたシール打設溝３７にシール材３９を打設する。
【００１８】
尚、上述したサッシ１では、縁材として雨切２３を用いる第１実施の形態と、縁材として見切２５を用いる第２実施の形態とを分けて説明したが、各シール材３９は雨切２３及び見切２５を取付けた後に打設する。
その後、引戸障子５、５を嵌め入れる。
【００１９】
第１実施の形態の作用効果について説明する。
図１（ａ）に示すように、下地材２１に雨切（縁材）２３を取付けるときに、雨切２３の挿入溝部２３ｂ内に下地材２１の被掛部２１ｅを、掛部２３ｃを越えて挿入するので、取付け中に雨切２３が下地材２１から外れようとすると、下地材２１の被掛部２１ｅが雨切２３の掛部２３ｃに掛かり、外れ難いので、施工性が良い。
更に、雨切（縁材）２３を下地材２１に取付けるときには、雨切（縁材）２３の掛部２３ｃを下地材２１の被掛部２１ｅに掛けた状態にして、雨切２３から手を放すことができるから、施工作業がし易い。
【００２０】
雨切（縁材）２３の取付け時には、図１（ａ）に示すように、下地材２１の被掛部２１ｅに掛かっている掛部２３ｃを中心にして雨切２３を回転することで、図１（ｂ）に示すように、雨切２３の起立部３５を下地材２１の起立部２１ｄに重なる位置に配置できるので、この点においても施工が容易である。
そして、下地材２１の起立部２１ｄに雨切２３の起立部３５を重ねた状態にした後に、雨切（縁材）２３を片手で押えつつ他方の手でねじ止めできるから、この点でも施工性が良い。
雨切（縁材）２３の取付け状態では、雨切２３の溝底２９が見込み方向で下地材の被掛部２１ｅに当接して且つ見込み方向のねじ３６で押え付けているため、取付け強度が高い。
上枠材９に取付けた上アンカー１５に下地材２１を取付けることで、上枠材９の見付け巾（上下寸法）を太くすることなく、上枠材９と雨切２３の間に形成したシール打設溝３７を深くできる。例えば、本実施の形態では約１０ｍｍの深さにでき、シール材３９による止水性能を良好なものとすることができる。
【００２１】
次に、第２実施の作用効果について説明する。
上述した第１実施の形態では、雨切（縁材）２３は、図１（ａ）に示すように掛部２３ｃを中心に回転させて取付けたが、第２実施の形態では、見切（縁材）２５は図２（ａ）に矢印Ｖで示すように、水平移動させて被掛部２１ｅを挿入溝部２３ｂに落し込んでいることが第１実施の形態と異なっている。
したがって、第２実施の形態によれば、雨切２３を回転させて取付ける効果を除いて、上述した第１実施の形態と同様の作用効果を奏することができる。
【００２２】
次に、図６を参照して他の実施の形態について説明するが、上述した実施の形態と同一の作用効果を奏する部分には、同一の符号をすることによりその部分の詳細な説明を省略し、上述した実施の形態と異なる点について主に説明する。
図６（ａ）に第３実施の形態にかかるサッシ１を示す。この第３実施の形態は、縁材として雨切２３を用いていると共に、雨切２３を上アンカー１５でなく、上枠材９に取付けたことが第１実施の形態と異なっている。即ち、上枠材９の室外側壁９ｃに下地材２１の重合部２１ａを重ねて、ねじ２２で固定してある。
【００２３】
この第３実施の形態によれば、上枠材９の見付け巾（上下寸法）を太くすることなく、上枠材９と雨切２３の間に形成したシール打設溝３７を深くできるという第１実施の形態の効果を除いて、上述した第１実施の形態と同様の作用効果を奏することができる。
【００２４】
図６（ｂ）に第４実施の形態にかかるサッシ１を示す。この第４実施の形態は、縁材として見切２５を用いたサッシ１であり、見切２５を縦アンカー１９でなく、縦枠材１３に取付けたことが第２実施の形態と異なっている。即ち、縦枠材１３の室外側壁１３ｃに下地材２１の重合部２１ａを重ねて、ねじ２２で固定してある。
【００２５】
この第４実施の形態によれば、縦枠材１３の見付け巾（上下寸法）を太くすることなく、縦枠材１３と見切２５の間に形成したシール打設溝３７を深くできるという効果を除いて、上述した第２実施の形態と同様の作用効果を奏することができる。
【００２６】
本発明は、上述した実施の形態に限らず、本発明の要旨を逸脱しない範囲で種々変形可能である。  
例えば、縁材は雨切２３や見切２５に限らず、水切２７であっても良い。この場合、水切２７を上述した実施の形態の雨切２３と略同一の構成として、下枠材１１又は下アンカー１７に下地材２１を介してねじ止めする。
雨切２３、見切２５、水切２７の取付け順は、実施例に限定されるものではないが、見切２５を取付ける前に水切り２７を取付けておくことで、見切２５の取付け作業中に、見切２５を下地材２１に係止させた状態で、見切２５を水切２７に仮置きできるため、見切りが落下することがなく、作業性が良い。
サッシ１は、引き違いサッシに限らず、上げ下げサッシや内開きサッシでも良く、サッシの種類は限定されない。
【符号の説明】
【００２７】
１    サッシ
９    上枠材
１３  縦枠材
１５  上アンカー
１９  縦アンカー
２１  下地材
２１ｃ  室外側見込み方向突出部（見込み方向突出部）
２１ｅ  被掛部
２３  雨切（縁材）
２３ａ  本体部
２３ｂ  挿入溝部
２３ｃ  掛部
２３ｄ  見込み方向延出部
２５  見切（縁材）
【図１】
2019015092.tif 000003
【図２】
2019015092.tif 000004
【図３】
2019015092.tif 000005
【図４】
2019015092.tif 000006
【図５】
2019015092.tif 000007
【図６】
2019015092.tif 000008